(57)【要約】長期的フィードバック送信およびランク報告のためのシステムおよび方法がここに開示される。一態様によると、フィードバック報告の方法はＷＴＲＵにおいて実施することができる。方法は、長期的プリコーダーおよび短期的プリコーダーを決定することを含むことができる。方法はまた、長期的プリコーダーおよび短期的プリコーダーに基づきＣＱＩ（Ｃｈａｎｎｅｌ  Ｑｕａｌｉｔｙ  Ｉｎｄｅｘ：チャンネル品質指数）を計算することを含むことができる。方法はさらに、ＣＱＩを基地局に送信することを含むことができる。
2013537731.tif 000002
【特許請求の範囲】
【請求項１】
フィードバック報告の方法であって、前記方法は、
無線送受信ユニット（ＷＴＲＵ）において、
長期的プリコーダーを決定するステップと、
短期的プリコーダーを決定するステップと、
チャンネル品質指数（ＣＱＩ）を、前記長期的プリコーダーおよび前記短期的プリコーダーに基づき計算するステップと、
前記ＣＱＩを基地局に送信するステップと
を備えたことを特徴とする方法。
【請求項２】
前記長期的プリコーダーを決定するステップは、
長期的広帯域チャンネル統計を決定するために前記ＷＴＲＵおよび前記基地局の間の通信チャンネルを測定するステップと、
前記長期的広帯域チャンネル統計を、長期的コードブックに基づき量子化するステップと
を含むことを特徴とする請求項１に記載の方法。
【請求項３】
前記短期的プリコーダーは、予め定義されたプリコーダーのセットの一部であることを特徴とする請求項１に記載の方法。
【請求項４】
前記短期的プリコーダーを決定するステップは、前記短期的プリコーダーを、前記予め定義されたプリコーダーのセットの中で決定するために、予め定義された式を使用するステップを含むことを特徴とする請求項３に記載の方法。
【請求項５】
前記ＣＱＩを前記基地局に送信するステップは、前記ＣＱＩを、前記基地局に、１つまたは複数の無線リソース管理（ＲＲＣ）メッセージを介して送信するステップを含むことを特徴とする請求項１に記載の方法。
【請求項６】
前記長期的プリコーダーを前記基地局に送信するステップを備えたことを特徴とする請求項１に記載の方法。
【請求項７】
前記長期的プリコーダーを送信するステップは、前記長期的プリコーダーを、前記基地局に、予め定義されたインターバルにて送信するステップを含むことを特徴とする請求項６に記載の方法。
【請求項８】
フィードバック報告の方法であって、前記方法は、
無線送受信ユニット（ＷＴＲＵ）において、
長期的プリコーダーおよび短期的プリコーダーを決定するステップと、
前記長期的プリコーダーのランクを決定するステップと、
前記短期的プリコーダーのランクを、前記長期的プリコーダーの前記ランクに基づき決定するステップと、
前記短期的プリコーダーと、前記短期的プリコーダーの前記ランクとを基地局に送信するステップと
を備えたことを特徴とする方法。
【請求項９】
前記長期的プリコーダーを決定するステップは、
長期的広帯域チャンネル統計を決定するために、前記ＷＴＲＵおよび前記基地局の間の通信チャンネルを測定するステップと、
前記長期的広帯域チャンネル統計を、長期的コードブックに基づき量子化するステップと
を含むことを特徴とする請求項８に記載の方法。
【請求項１０】
前記長期的プリコーダーの前記ランクを決定するステップは、前記長期的プリコーダーの前記ランクを、予め定義された範囲の値に基づき決定するステップを含むことを特徴とする請求項８に記載の方法。
【請求項１１】
前記予め定義された範囲の値は、前記基地局の送信機アンテナの数に基づき定義されることを特徴とする請求項１０に記載の方法。
【請求項１２】
前記予め定義された範囲の値は、前記ＷＴＲＵの受信機アンテナの数に基づき定義されることを特徴とする請求項１０に記載の方法。
【請求項１３】
前記予め定義された範囲の値は、内側のプリコーダーのランク情報に対応することを特徴とする請求項１０に記載の方法。
【請求項１４】
前記短期的プリコーダーと、前記短期的プリコーダーの前記ランクとを前記基地局に送信するステップは、前記短期的プリコーダーと、前記短期的プリコーダーとの前記ランクを、前記基地局に、１つまたは複数の無線リソース管理（ＲＲＣ）メッセージを介して送信するステップを含むことを特徴とする請求項８に記載の方法。
【請求項１５】
前記長期的プリコーダーを、前記基地局に送信するステップを備えたことを特徴とする請求項８に記載の方法。
【請求項１６】
前記長期的プリコーダーを送信するステップは、前記長期的プリコーダーを、前記基地局に、予め定義されたインターバルにて送信するステップを含むことを特徴とする請求項１５に記載の方法。
【請求項１７】
フィードバック報告の方法であって、前記方法は、
無線送受信ユニット（ＷＴＲＵ）において、
長期的プリコーダーを決定するステップと、
前記長期的プリコーダーに対応するプリコーダー行列指数（ＰＭＩ）を基地局に送信するステップと、
短期的ＰＭＩを決定するステップと、
前記短期的ＰＭＩのランクを決定するステップと、
前記短期的ＰＭＩと、前記短期的ＰＭＩの前記ランクとを前記基地局に送信するステップと
を備えたことを特徴とする方法。
【請求項１８】
前記長期的プリコーダーを決定するステップは、
長期的広帯域空間的相関行列を決定するために、前記ＷＴＲＵおよび前記基地局の間の通信チャンネルを測定するステップと、
前記長期的広帯域空間的相関行列を、長期的コードブックに基づき量子化するステップと
を含むことを特徴とする請求項１７に記載の方法。
【請求項１９】
前記長期的プリコーダーを前記基地局に送信するステップを備えたことを特徴とする請求項１７に記載の方法。
【請求項２０】
前記長期的プリコーダーを送信するステップは、前記長期的プリコーダーを、前記基地局に、予め定義されたインターバルにて送信するステップを含むことを特徴とする請求項１９に記載の方法。
【発明の詳細な説明】
【技術分野】
【０００１】
本発明は、長期的フィードバック送信およびランク報告に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第三世代パートナーシップ・プロジェクト）のＬＴＥ（Ｌｏｎｇ  Ｔｅｒｍ  Ｅｖｏｌｕｔｉｏｎ：長期発展型）規格は、セルラー移動体通信システムに対して高性能無線インターフェイスのための仕様を提供する。ＬＴＥにおいては、ＷＴＲＵ（Ｗｉｒｅｌｅｓｓ  Ｔｒａｎｓｍｉｔ  Ｒｅｃｅｉｖｅ  Ｕｎｉｔ：無線送受信ユニット）がｅＮＢ（ｅＮｏｄｅＢ：ｅノードＢ）と通信することができる。ＷＴＲＵはｅＮＢにあるフィードバックを送り、ＷＴＲＵおよびｅＮＢが通信しているチャンネルの品質の表示をｅＮＢに与えることができる。フィードバックの１つの特定のタイプはＣＱＩ（Ｃｈａｎｎｅｌ  Ｑｕａｌｉｔｙ  Ｉｎｄｅｘ：チャンネル品質指数）報告（以下「ＣＱＩ」）である。ＷＴＲＵは、周期的にまたは非周期的にＣＱＩを送信することができる。周期的ＣＱＩは、ＰＵＣＣＨ（Ｐｈｙｓｉｃａｌ  Ｕｐｌｉｎｋ  Ｃｏｎｔｒｏｌ  Ｃｈａｎｎｅｌ：物理上りリンク制御チャンネル）またはＰＵＳＣＨ（Ｐｈｙｓｉｃａｌ  Ｕｐｌｉｎｋ  Ｓｈａｒｅｄ  Ｃｈａｎｎｅｌ：物理上りリンク共有チャンネル）にて送信することができる。非周期的ＣＱＩは、ＰＵＳＣＨにて送信することができる。ＣＱＩおよび他のフィードバック報告のための、より効率的なシステムおよび方法を提供することが必要である。
【発明の概要】
【０００３】
本明細書においては、長期的フィードバック送信およびランク報告のためのシステムおよび方法が開示される。一態様によると、フィードバック報告の方法はＷＴＲＵにおいて実施することができる。方法は、長期的プリコーダーおよび短期的プリコーダーを決定することを含むことができる。方法はまた、長期的プリコーダーおよび短期的プリコーダーに基づきＣＱＩ（Ｃｈａｎｎｅｌ  Ｑｕａｌｉｔｙ  Ｉｎｄｅｘ：チャンネル品質指数）を計算することを含むことができる。方法はさらに、ＣＱＩを基地局に送信することを含むことができる。
【０００４】
別の態様によると方法は、長期的プリコーダーおよび短期的プリコーダーを決定することを含むことができる。方法はまた、長期的プリコーダーのランクを決定することを含むことができる。方法はさらに、長期的プリコーダーのランクに基づき短期的プリコーダーのランクを決定することを含むことができる。方法はまた、短期的プリコーダーおよび短期的プリコーダーのランクを基地局に送信することを含むことができる。
【０００５】
さらに別の態様によると方法は、長期的プリコーダーを決定することを含むことができる。方法はまた、長期的プリコーダーに対応する長期的ＰＭＩ（Ｐｒｅｃｏｄｅｒ  Ｍａｔｒｉｘ  Ｉｎｄｅｘ：プリコーダー行列指数）を基地局に送信することを含むことができる。方法はさらに、短期的ＰＭＩを決定することを含むことができる。方法はまた、短期的ＰＭＩのランクを決定することを含むことができる。方法はまた、短期的ＰＭＩおよび短期的ＰＭＩのランクを基地局に送信することを含むことができる。
【０００６】
［発明の概要］は、以下で［発明を実施するための形態］においてさらに説明されるいくつかの概念を簡略化された形体にて紹介するために提供される。この［発明の概要］は、請求される対象の主要な特徴または本質的な特徴を特定することを意図するものではなく、請求される対象の範囲を限定するために使用されることを意図するものではない。その上請求される対象は、この開示の何れの部分において言及される何れのまたは全ての不都合を解決する何れの制限にも限定されるものではない。
【図面の簡単な説明】
【０００７】
実施形態の以下の詳細な説明は、付加された図面に関連して読まれるとさらに良く理解される。例証の目的のために、図面中には代表的実施形態が示される。しかしながら、対象は開示される特定の要素および手段に限定されるものではない。
【図１Ａ】開示される１つまたは複数の実施形態を実施することができる通信システムの一例のシステム図である。
【図１Ｂ】図１Ａにおいて例証された通信システム内にて使用することができるＷＴＲＵ（Ｗｉｒｅｌｅｓｓ  Ｔｒａｎｓｍｉｔ  Ｒｅｃｅｉｖｅ  Ｕｎｉｔ：無線送受信ユニット）の一例のシステム図である。
【図１Ｃ】図１Ａにおいて例証された通信システム内にて使用することができる無線アクセス・ネットワークの一例およびコア・ネットワークの一例のシステム図である。
【図２】複数のＷＴＲＵおよびｅＮＢ（ｅＮｏｄｅＢ：ｅノードＢ）を含む無線通信システムのブロック図である。
【図３】ＷＴＲＵ、および図２の無線通信システムの基地局の機能ブロック図である。
【図４】報告シーケンスの一例の図である。
【図５】本開示の実施形態によるフィードバック報告の方法のフロー図である。
【図６】本開示の実施形態による測定、および基地局へのＣＳＩフィードバック報告の方法のフロー図である。
【図７】本開示の実施形態によるフィードバック報告の方法のフロー図である。
【発明を実施するための形態】
【０００８】
今後において参照されると、用語「ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）」は、限定的ではなく、ＵＥ（Ｕｓｅｒ  Ｅｑｕｉｐｍｅｎｔ：ユーザー機器）、移動体端末、固定型または移動体の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、コンピューター、または無線環境において動作する能力のある他の如何なるタイプのユーザー・デバイスをも含む。今後において参照されると、用語「基地局（Ｂａｓｅ  Ｓｔａｔｉｏｎ）」は、限定的ではなく、ノードＢ（ＮｏｄｅＢ）、サイト制御装置、ＡＰ（Ａｃｃｅｓｓ  Ｐｏｉｎｔ：アクセス・ポイント）、または無線環境において動作する能力のある他の如何なるタイプのインターフェイス・デバイスをも含む。
【０００９】
図１Ａは、１つまたは複数の開示される実施形態を実施することができる通信システム１００の一例の図である。通信システム１００は、音声、データ、ビデオ、メッセージング、ブロードキャスト等などの、コンテンツを複数の無線ユーザーに提供する多元アクセス・システムであることができる。通信システム１００は、無線の帯域幅を含むシステム・リソースの共有を通して、複数の無線ユーザーがそのようなコンテンツにアクセスすることを可能にすることができる。例えば通信システム１００は、ＣＤＭＡ（Ｃｏｄｅ  Ｄｉｖｉｓｉｏｎ  Ｍｕｌｔｉｐｌｅ  Ａｃｃｅｓｓ：符号分割多元接続）、ＴＤＭＡ（Ｔｉｍｅ  Ｄｉｖｉｓｉｏｎ  Ｍｕｌｔｉｐｌｅ  Ａｃｃｅｓｓ：時分割多元接続）、ＦＤＭＡ（Ｆｒｅｑｕｅｎｃｙ  Ｄｉｖｉｓｉｏｎ  Ｍｕｌｔｉｐｌｅ  Ａｃｃｅｓｓ：周波数分割多元接続）、ＯＦＤＭＡ（Ｏｒｔｈｏｇｏｎａｌ  ＦＤＭＡ：直交ＦＤＭＡ）、ＳＣ−ＦＤＭＡ（Ｓｉｎｇｌｅ−Ｃａｒｒｉｅｒ  ＦＤＭＡ：単一キャリアＦＤＭＡ）、および同様なものなどの、１つまたは複数のチャンネル接続方法を採用することができる。
【００１０】
図１Ａにおいて示されるように通信システム１００は、ＷＴＲＵ（Ｗｉｒｅｌｅｓｓ  Ｔｒａｎｓｍｉｔ／Ｒｅｃｅｉｖｅ  Ｕｎｉｔ：無線送受信ユニット）１０２ａ、１０２ｂ、１０２ｃ、１０２ｄ、ＲＡＮ（Ｒａｄｉｏ  Ａｃｃｅｓｓ  Ｎｅｔｗｏｒｋ：無線アクセス・ネットワーク）１０４、コア・ネットワーク１０６、ＰＳＴＮ（Ｐｕｂｌｉｃ  Ｓｗｉｔｃｈｅｄ  Ｔｅｌｅｐｈｏｎｅ  Ｎｅｔｗｏｒｋ：公衆電話ネットワーク）１０８、インターネット１１０、および他のネットワーク１１２を含むことができ、開示される実施形態は、如何なる数のＷＴＲＵ、基地局、ネットワーク、および／またはネットワーク要素をも考慮していることが理解されよう。ＷＴＲＵ１０２ａ、１０２ｂ、１０２ｃ、１０２ｄのそれぞれは、無線環境で動作しそして／または通信するように構成される何れのタイプのデバイスであることもできる。例としてＷＴＲＵ１０２ａ、１０２ｂ、１０２ｃ、１０２ｄは、無線信号を送信しそして／または受信するように構成することができ、そしてＵＥ（Ｕｓｅｒ  Ｅｑｕｉｐｍｅｎｔ：ユーザー機器）、移動局、固定型または移動型の加入者ユニット、ページャー、携帯電話、ＰＤＡ（Ｐｅｒｓｏｎａｌ  Ｄｉｇｉｔａｌ  Ａｓｓｉｓｔａｎｔ：携帯情報端末）、スマートフォン、ラップトップ、ノート、パーソナル・コンピューター、無線センサー、家電製品、および同様なものを含むことができる。
【００１１】
通信システム１００はまた、基地局１１４ａおよび基地局１１４ｂを含むことができる。基地局１１４ａ、１１４ｂのそれぞれは、ＷＴＲＵ１０２ａ、１０２ｂ、１０２ｃ、１０２ｄの内の少なくとも１つと無線にてインターフェイスし、コア・ネットワーク１０６、インターネット１１０、および／またはネットワーク１１２などの、１つまたは複数の通信ネットワークへのアクセスを容易にするように構成される、何れのタイプのデバイスであることもできる。基地局１１４ａ、１１４ｂは例として、ＢＴＳ（Ｂａｓｅ  Ｔｒａｎｓｃｅｉｖｅｒ  Ｓｔａｔｉｏｎ：基本送受信局）、ノードＢ（Ｎｏｄｅ−Ｂ）、ｅノードＢ（ｅＮｏｄｅ−Ｂ）、ホーム用ノードＢ（Ｈｏｍｅ  Ｎｏｄｅ−Ｂ）、ホーム用ｅノードＢ（Ｈｏｍｅ  ｅＮｏｄｅ−Ｂ）、サイト制御装置、ＡＰ（Ａｃｃｅｓｓ  Ｐｏｉｎｔ：アクセス・ポイント）、無線ルーター、および同様なものであることができる。基地局１１４ａ、１１４ｂがそれぞれ単一の要素として表現されるが、基地局１１４ａ、１１４ｂは、何れの数の相互接続された基地局および／またはネットワーク要素をも含むことができることが理解されよう。
【００１２】
基地局１１４ａはＲＡＮ１０４の一部であることができ、また他の基地局および／または、ＢＳＣ（Ｂａｓｅ  Ｓｔａｔｉｏｎ  Ｃｏｎｔｒｏｌｌｅｒ：基地局制御装置）、ＲＮＣ（Ｒａｄｉｏ  Ｎｅｔｗｏｒｋ  Ｃｏｎｔｒｏｌｌｅｒ：無線ネットワーク制御装置）、リレー・ノード等などのネットワーク要素（示されない）を含むことができる。セル（示されない）と呼ぶことができる特定の地理的領域の中にて無線信号を送信しそして／または受信するように基地局１１４ａおよび／または基地局１１４ｂを構成することができる。セルをさらにセル・セクターに分割することができる。例えば基地局１１４ａに関連付けられるセルを３つのセクターに分割することができる。従って一実施形態においては、基地局１１４ａは３つの送受信機、すなわちセルの各セクターあたり１つ、を含むことができる。別の実施形態においては、基地局１１４ａがＭＩＭＯ（Ｍｕｌｔｉｐｌｅ−Ｉｎｐｕｔ  Ｍｕｌｔｉｐｌｅ  Ｏｕｔｐｕｔ：多入力多出力）技術を採用することができ、従ってセルの各セクターに対して複数の送受信機を利用することができる。
【００１３】
基地局１１４ａ、１１４ｂは、無線インターフェイス１１６上でＷＴＲＵ１０２ａ、１０２ｂ、１０２ｃ、１０２ｄの内の１つまたは複数と通信することができ、無線インターフェイス１１６は何れの適当な無線通信リンク（例えばＲＦ（Ｒａｄｉｏ  Ｆｒｅｑｕｅｎｃｙ：無線周波数）、マイクロ波、ＩＲ（ＩｎｆｒａＲｅｄ：赤外線）、ＵＶ（ＵｌｔｒａＶｉｏｌｅｔ：紫外線）、可視光等）であることもできる。何れの適当なＲＡＴ（Ｒａｄｉｏ  Ａｃｃｅｓｓ  Ｔｅｃｈｎｏｌｏｇｙ：無線アクセス技術）を使用しても無線インターフェイス１１６を確立することができる。
【００１４】
より詳しく述べると、上で述べたように通信システム１００は多元アクセス・システムであることができ、そしてＣＤＭＡ、ＴＤＭＡ、ＦＤＭＡ、ＯＦＤＭＡ、ＳＣ−ＦＤＭＡ、および同様なものなどの、１つまたは複数のチャンネル・アクセス方式を採用することができる。例えば、ＲＡＮ１０４における基地局１１４ａおよびＷＴＲＵ１０２ａ、１０２ｂ、１０２ｃは、ＷＣＤＭＡ（Ｗｉｄｅｂａｎｄ  ＣＤＭＡ：広帯域ＣＤＭＡ）を使用して無線インターフェイス１１６を確立することができる、ＵＴＲＡ（ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ：統合無線通信システム）Ｔｅｒｒｅｓｔｒｉａｌ  Ｒａｄｉｏ  Ａｃｃｅｓｓ：ＵＭＴＳテレストリアル無線アクセス）などの無線技術を実施することができる。ＷＣＤＭＡは、ＨＳＰＡ（Ｈｉｇｈ−Ｓｐｅｅｄ  Ｐａｃｋｅｔ  Ａｃｃｅｓｓ：高速パケット・アクセス）、および／またはＨＳＰＡ＋（Ｅｖｏｌｖｅｄ  ＨＳＰＡ：発展型ＨＳＰＡ）などの通信プロトコルを含むことができる。ＨＳＰＡはＨＳＤＰＡ（Ｈｉｇｈ−Ｓｐｅｅｄ  Ｄｏｗｎｌｉｎｋ  Ｐａｃｋｅｔ  Ａｃｃｅｓｓ：下りリンク高速パケット・アクセス）および／またはＨＳＵＰＡ（Ｈｉｇｈ−Ｓｐｅｅｄ  Ｕｐｌｉｎｋ  Ｐａｃｋｅｔ  Ａｃｃｅｓｓ：上りリンク高速パケット・アクセス）を含むことができる。
【００１５】
別の実施形態においては、基地局１１４ａおよびＷＴＲＵ１０２ａ、１０２ｂ、１０２ｃは、ＬＴＥ（Ｌｏｎｇ  Ｔｅｒｍ  Ｅｖｏｌｕｔｉｏｎ：長期発展型）および／またはＬＴＥ−Ａ（ＬＴＥ−Ａｄｖａｎｃｅｄ）を使用して無線インターフェイス１１６を確立することができる、Ｅ−ＵＴＲＡ（Ｅｖｏｌｖｅｄ  ＵＭＴＳ  Ｔｅｒｒｅｓｔｒｉａｌ  Ｒａｄｉｏ  Ａｃｃｅｓｓ：発展型ＵＭＴＳテレストリアル無線アクセス）などの無線技術を実施することができる。
【００１６】
他の実施形態においては、基地局１１４ａおよびＷＴＲＵ１０２ａ、１０２ｂ、１０２ｃは、ＩＥＥＥ８０２．１６（すなわちＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））、ＣＤＭＡ２０００、ＣＤＭＡ２０００  １Ｘ、ＣＤＭＡ２０００  ＥＶ−ＤＯ、ＩＳ−２０００（Ｉｎｔｅｒｉｍ  Ｓｔａｎｄａｒｄ  ２０００）、ＩＳ−９５（Ｉｎｔｅｒｉｍ  Ｓｔａｎｄａｒｄ  ９５）、ＩＳ−８５６（Ｉｎｔｅｒｉｍ  Ｓｔａｎｄａｒｄ  ８５６）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＥＤＧＥ（Ｅｎｈａｎｃｅｄ  Ｄａｔａ  ｒａｔｅｓ  ｆｏｒ  ＧＳＭ  Ｅｖｏｌｕｔｉｏｎ）、ＧＥＲＡＮ（ＧＳＭ  ＥＤＧＥ）、および同様なものなどの無線技術を実施することができる。
【００１７】
図１Ａにおける基地局１１４ｂは、例えば、無線方式ルーター、ホーム用ノードＢ（Ｈｏｍｅ  Ｎｏｄｅ  Ｂ）、ホーム用ｅノードＢ（Ｈｏｍｅ  ｅＮｏｄｅ  Ｂ）、またはアクセス・ポイントであることができ、そして勤務場所、ホーム、乗り物、キャンパス、同様なものなどの、ローカル化された領域における無線の接続性を容易にするために何れの適当なＲＡＴを利用することもできる。一実施形態においては、基地局１１４ｂおよびＷＴＲＵ１０２ｃ、１０２ｄが、ＩＥＥＥ８０２．１１などの無線技術を実施し、ＷＬＡＮ（Ｗｉｒｅｌｅｓｓ  Ｌｏｃａｌ  Ａｒｅａ  Ｎｅｔｗｏｒｋ：無線ローカル・エリア・ネットワーク）を確立することができる。別の実施形態においては、基地局１１４ｂ、およびＷＴＲＵ１０２ｃ、１０２ｄが、ＩＥＥＥ８０２．１５などの無線技術を実施し、ＷＰＡＮ（Ｗｉｒｅｌｅｓｓ  Ｐｅｒｓｏｎａｌ  Ａｒｅａ  Ｎｅｔｗｏｒｋ：無線個人領域ネットワーク）を確立することができる。さらに別の実施形態においては、基地局１１４ｂ、およびＷＴＲＵ１０２ｃ、１０２ｄが、セルに準拠するＲＡＴ（例えばＷＣＤＭＡ、ＣＤＭＡ２０００、ＧＳＭ、ＬＴＥ、ＬＴＥ−Ａ等）を利用し、ピコセル（ｐｉｃｏｃｅｌｌ）またはフェムトセル（ｆｅｍｔｏｃｅｌｌ）を確立することができる。図１Ａに示されるように、基地局１１４ｂはインターネット１１０への直接接続を有することができる。従って、基地局１１４ｂはコア・ネットワーク１０６を介してインターネット１１０にアクセスすることを必要としない場合がある。
【００１８】
ＲＡＮ１０４はコア・ネットワーク１０６と通信状態にあることができ、コア・ネットワーク１０６は、ＷＴＲＵ１０２ａ、１０２ｂ、１０２ｃ、１０２ｄの内の１つまたは複数に対して、音声、データ、アプリケーション、および／またはＶｏＩＰ（Ｖｏｉｃｅ  ｏｖｅｒ  Ｉｎｔｅｒｎｅｔ  Ｐｒｏｔｏｃｏｌ：ボイス・オーバー・インターネット・プロトコル）サービスを提供するように構成される何れのタイプのネットワークであることもできる。例えばコア・ネットワーク１０６は、呼制御、課金サービス、移動体位置準拠のサービス、プリペイド（ｐｒｅ−ｐａｉｄ）通話、インターネット接続性、ビデオ配信等を提供し、そして／またはユーザー認証などの高水準のセキュリティ機能を実行することができる。図１Ａには示されないが、ＲＡＮ１０４および／またはコア・ネットワーク１０６が、ＲＡＮ１０４と同一のＲＡＴまたは別のＲＡＴを採用する他のＲＡＮと直接的な、または間接的な通信状態にあることができることが理解されよう。例えば、Ｅ−ＵＴＲＡ無線技術を利用することができるＲＡＮ１０４に接続されていることに加えて、コア・ネットワーク１０６がまた、ＧＳＭ無線技術を採用している別のＲＡＮ（示されない）と通信状態にあることができる。
【００１９】
コア・ネットワーク１０６はまた、ＰＳＴＮ１０８、インターネット１１０、および／または他のネットワーク１１２にアクセスするための、ＷＴＲＵ１０２ａ、１０２ｂ、１０２ｃ、１０２ｄに対するゲートウェイとして機能することができる。ＰＳＴＮ１０８は、ＰＯＴＳ（Ｐｌａｉｎ  Ｏｌｄ  Ｔｅｌｅｐｈｏｎｅ  Ｓｅｒｖｉｃｅ：基本電話サービス）を提供する回線交換（ｃｉｒｃｕｉｔ−ｓｗｉｔｃｈｅｄ）電話ネットワークを含むことができる。インターネット１１０は、ＴＣＰ／ＩＰインターネット・プロトコル群におけるＴＣＰ（Ｔｒａｎｓｍｉｓｓｉｏｎ  Ｃｏｎｔｒｏｌ  Ｐｒｏｔｏｃｏｌ：送信制御プロトコル）、ＵＤＰ（Ｕｓｅｒ  Ｄａｔａｇｒａｍ  Ｐｒｏｔｏｃｏｌ：ユーザー・データグラム・プロトコル）、およびＩＰ（Ｉｎｔｅｒｎｅｔ  Ｐｒｏｔｏｃｏｌ：インターネット・プロトコル）などの、共通的通信プロトコルを使用する相互接続されたコンピューター・ネットワークおよびデバイスの大域的なシステムを含むことができる。ネットワーク１１２は、他のサービス・プロバイダーが所有しそして／または運用する有線のまたは無線の通信ネットワークを含むことができる。例えばネットワーク１１２は、ＲＡＮ１０４と同一のＲＡＴまたは別のＲＡＴを採用することができる１つまたは複数のＲＡＮに接続された別のコア・ネットワークを含むことができる。
【００２０】
通信システム１００におけるＷＴＲＵ１０２ａ、１０２ｂ、１０２ｃ、１０２ｄの内のいくつかまたはすべてがマルチ・モード能力含むことができる。すなわち、ＷＴＲＵ１０２ａ、１０２ｂ、１０２ｃ、１０２ｄが、別々の無線リンク上で別々の無線ネットワークと通信するために複数の送受信機を含むことができる。例えば図１Ａにおいて示されるＷＴＲＵ１０２ｃは、セル準拠の無線技術を採用することができる基地局１１４ａ、およびＩＥＥＥ８０２無線技術を採用することができる基地局１１４ｂと通信するように構成することができる。
【００２１】
図１Ｂは、ＷＴＲＵ１０２の一例の系統図である。図１Ｂにおいて示されるようにＷＴＲＵ１０２は、処理装置１１８、送受信機１２０、送信／受信要素１２２、スピーカー／マイクロホン１２４、キーパッド１２６、ディスプレイ／タッチパッド１２８、脱着不可メモリ１３０、脱着可能メモリ１３２、電源１３４、ＧＰＳ（Ｇｌｏｂａｌ  Ｐｏｓｉｔｉｏｎｉｎｇ  Ｓｙｓｔｅｍ：全地球側位システム）チップセット１３６、および他の周辺機器１３８を含むことができる。ＷＴＲＵ１０２は、実施形態と矛盾がない範囲で、前述の要素の何れの部分結合をも含むことができることが理解されよう。ＷＴＲＵ１０２に関して説明される構成要素、機能、および特徴はまた、基地局においても同様に実施することができるということを注意されたい。
【００２２】
処理装置１１８は、汎用目的処理装置、専用目的処理装置、従来型の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の任意のタイプのＩＣ（Ｉｎｔｅｇｒａｔｅｄ  Ｃｉｒｃｕｉｔ：集積回路）、状態マシン、および同様なものであることができる。処理装置１１８は、信号符号化、データ処理、電源制御、入力／出力処理、および／またはＷＴＲＵ１０２が無線環境において動作することを可能にする他の如何なる機能性をも実行することができる。処理装置１１８は、送信／受信要素１２２に結合することができる送受信機１２０と結合することができる。図１Ｂは、処理装置１１８および送受信機１２０を別個の構成要素として表現しているが、処理装置１１８および送受信機１２０を電子パッケージまたはチップにおいて一緒に統合することができることが理解されよう。
【００２３】
送信／受信要素１２２は、無線インターフェイス１１６上にて基地局（例えば基地局１１４ａ）へ信号を送信しまたはそこから信号を受信するように構成することができる。例えば一実施形態において送信／受信要素１２２は、ＲＦ信号を送信しそして／または受信するように構成されるアンテナであることができる。別の実施形態において送信／受信要素１２２は、例えばＩＲ、ＵＶ、または可視光信号を送信しそして／または受信するように構成されるエミッタ／検出器であることができる。さらに別の実施形態において送信／受信要素１２２は、ＲＦおよび光信号の両方を送信しそして受信するように構成することができる。送信／受信要素１２２は、無線信号の何れの組み合わせをも送信しそして／または受信するように構成することができることが理解されよう。
【００２４】
さらに加えて、送信／受信要素１２２は図１Ｂにおいては単一の要素として表現されているが、ＷＴＲＵ１０２は、如何なる数の送信／受信要素１２２をも含むことができる。より詳しく述べるとＷＴＲＵ１０２はＭＩＭＯ技術を採用することができる。従って一実施形態においてはＷＴＲＵ１０２が、無線インターフェイス１１６上にて無線信号を送信しそして受信するために、２つまたはそれ以上の送信／受信要素１２２（例えばマルチアンテナ）を含むことができる。
【００２５】
送受信機１２０は、送信／受信要素１２２によって送信されるべき信号を変調するように、そして送信／受信要素１２２によって受信される信号を復調するように構成することができる。上で述べたようにＷＴＲＵ１０２はマルチ・モード能力を有することができる。従って送受信機１２０は、例えばＵＴＲＡおよびＩＥＥＥ８０２．１１などの複数のＲＡＴを介してＷＴＲＵ１０２が通信することを可能にするために複数の送受信機を含むことができる。
【００２６】
ＷＴＲＵ１０２の処理装置１１８は、スピーカー／マイクロホン１２４、キーパッド１２６、および／またはディスプレイ／タッチパッド１２８（例えばＬＣＤ（Ｌｉｑｕｉｄ  Ｃｒｙｓｔａｌ  Ｄｉｓｐｌａｙ：液晶表示）表示ユニット、またはＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニットに結合することができ、そしてそこからユーザー入力データを受信することができる。処理装置１１８はまた、スピーカー／マイクロホン１２４、キーパッド１２６、および／またはディスプレイ／タッチパッド１２８にユーザー・データを出力することができる。さらに加えて処理装置１１８は、脱着不可メモリ１３０および／または脱着可能メモリ１３２などの、何れのタイプの適当なメモリとの間でも情報にアクセスし、そしてデータを格納することができる。脱着不可メモリ１３０はＲＡＭ（Ｒａｎｄｏｍ−Ａｃｃｅｓｓ  Ｍｅｍｏｒｙ：ランダム・アクセス・メモリ）、ＲＯＭ（Ｒｅａｄ−Ｏｎｌｙ  Ｍｅｍｏｒｙ：読み出し専用メモリ）、ハード・ディスク、または他の如何なるタイプのメモリ記憶装置デバイスをも含むことができる。脱着可能メモリ１３２は、ＳＩＭ（Ｓｕｂｓｃｒｉｂｅｒ  Ｉｄｅｎｔｉｔｙ  Ｍｏｄｕｌｅ：加入者識別モジュール）カード、メモリ・スティック、ＳＤ（Ｓｅｃｕｒｅ  Ｄｉｇｉｔａｌ）メモリ・カード、および同様なものを含むことができる。他の実施形態において処理装置１１８は、サーバまたはホーム用コンピューター（示されない）上などの、物理的にはＷＴＲＵ１０２上に位置してはいないメモリとの間で、情報にアクセスしそしてデータを格納することができる。
【００２７】
処理装置１１８は、電源１３４から電力を受け取ることができ、そして電力をＷＴＲＵ１０２中の他の構成要素に分配しそして／または制御するように構成することができる。電源１３４は、ＷＴＲＵ１０２に電力を供給するための任意の適当なデバイスであることができる。例えば電源１３４は、１つまたは複数の乾電池バッテリー（例えばＮｉＣｄ（Ｎｉｃｋｅｌ−Ｃａｄｍｉｕｍ：ニッケル・カドミウム）、ＮｉＺｎ（Ｎｉｃｋｅｌ−Ｚｉｎｃ：ニッケル亜鉛）、ＮｉＭＨ（Ｎｉｃｋｅｌ  Ｍｅｔａｌ  Ｈｙｄｒｉｄｅ：ニッケル金属水素化物）、Ｌｉ−ｉｏｎ（Ｌｉｔｈｉｕｍ−ｉｏｎ：リチウム・イオン）等）、太陽電池、燃料電池、および同様なものを含むことができる。
【００２８】
処理装置１１８はまたＧＰＳチップセット１３６と結合することができ、ＷＴＲＵ１０２の現在の位置に関する位置情報（例えば経度および緯度）を提供するようにＧＰＳチップセット１３６を構成することができる。ＧＰＳチップセット１３６からの情報にさらに加えて、またはその代わりに、ＷＴＲＵ１０２は基地局（例えば基地局１１４ａ、１１４ｂ）から位置情報を無線インターフェイス１１６上にて受信し、そして／または２つまたはそれ以上の近傍の基地局から受信される信号のタイミングに基づきその位置を決定することができる。ＷＴＲＵ１０２は、実施形態と矛盾がない範囲で、任意の適当な位置同定方法により位置情報を取得することができることが理解されよう。
【００２９】
処理装置１１８はさらに他の周辺機器１３８と結合することができ、周辺機器１３８は、付加的な機能、機能性、および／または有線のあるいは無線の接続性を提供する１つまたは複数のソフトウェアおよび／またはハードウェア・モジュールを含むことができる。例えば周辺機器１３８は、加速度計、電子コンパス、衛星送受信機、デジタル・カメラ（写真またはビデオ用の）、ＵＳＢ（Ｕｎｉｖｅｒｓａｌ  Ｓｅｒｉａｌ  Ｂｕｓ：普遍的直列バス）ポート、振動デバイス、テレビ送受信機、ヘッドホン（ｈａｎｄｓ  ｆｒｅｅ  ｈｅａｄｓｅｔ）、ブルーツース（Ｂｌｕｅｔｏｏｔｈ（登録商標））モジュール、ＦＭ（Ｆｒｅｑｕｅｎｃｙ  Ｍｏｄｕｌａｔｅｄ：周波数変調用）無線ユニット、デジタル音楽プレーヤー、メディア・プレーヤー、テレビゲーム・プレーヤー・モジュール、インターネット・ブラウザー、および同様なものを含むことができる。
【００３０】
図１Ｃは、一実施形態によるＲＡＮ１０４およびコア・ネットワーク１０６の系統図である。上で述べたようにＲＡＮ１０４は、ＷＴＲＵ１０２ａ、１０２ｂ、１０２ｃと無線インターフェイス１１６上にて通信するためにＥ−ＵＴＲＡ無線技術を採用することができる。ＲＡＮ１０４はまた、コア・ネットワーク１０６と通信状態にあることができる。
【００３１】
ＲＡＮ１０４は、ｅノードＢ１４０ａ、１４０ｂ、１４０ｃを含むことができ、またＲＡＮ１０４は、実施形態と矛盾がない範囲で、任意の数のｅノードＢを含むことができることが理解されよう。ｅノードＢ１４０ａ、１４０ｂ、１４０ｃはそれぞれ、ＷＴＲＵ１０２ａ、１０２ｂ、１０２ｃと無線インターフェイス１１６上にて通信するために１つまたは複数の送受信機を含むことができる。一実施形態においてｅノードＢ１４０ａ、１４０ｂ、１４０ｃは、ＭＩＭＯ技術を実施することができる。従って、例えばｅノードＢ１４０ａは、ＷＴＲＵ１０２ａとの間で無線信号を送信しそして無線信号を受信するためにマルチ・アンテナを使用することができる。
【００３２】
ｅノードＢ１４０ａ、１４０ｂ、１４０ｃのそれぞれを、特定のセル（示されない）に関連付けることができ、そして無線リソース管理決定、ハンドオーバー決定、上りリンクおよび／または下りリンクにおけるユーザーのスケジューリング、および同様なものを取り扱うように構成することができる。図１Ｃにおいて示されるようにｅノードＢ１４０ａ、１４０ｂ、１４０ｃは、Ｘ２インターフェイス上にて互いに通信することできる。
【００３３】
図１Ｃにおいて示されるコア・ネットワーク１０６は、ＭＭＥ（Ｍｏｂｉｌｉｔｙ  Ｍａｎａｇｅｍｅｎｔ  Ｇａｔｅｗａｙ：移動管理ゲートウェイ）１４２、サービング・ゲートウェイ１４４、およびＰＤＮ（Ｐａｃｋｅｔ  Ｄａｔａ  Ｎｅｔｗｏｒｋ：パケット・データ・ネットワーク）ゲートウェイ１４６を含むことができる。前述の要素のそれぞれがコア・ネットワーク１０６の一部として表現されているが、これらの要素の内の何れの１つもコア・ネットワーク事業者以外のエンティティにより所有されそして／または運用されることができることが理解されよう。
【００３４】
ＭＭＥ１４２は、ＲＡＮ１０４におけるｅノードＢ１４２ａ、１４２ｂ、１４２ｃのそれぞれにＳ１インターフェイスを介して接続することができ、そして制御ノードとして機能することができる。例えばＭＭＥ１４２は、ＷＴＲＵ１０２ａ、１０２ｂ、１０２ｃのユーザーの認証、ベアラー（ｂｅａｒｅｒ）活性化／非活性化、ＷＴＲＵ１０２ａ、１０２ｂ、１０２ｃの最初のアタッチ（ａｔｔａｃｈ）の間の特定のサービング・ゲートウェイの選択、および同様なものを担当することができる。ＭＭＥ１４２はまた、ＲＡＮ１０４およびＧＳＭまたはＷＣＤＭＡなどの他の無線技術を採用する他のＲＡＮ（示されない）の間を切り換えるための制御面（ｃｏｎｔｒｏｌ  ｐｌａｎｅ）機能を提供することができる。
【００３５】
ＲＡＮ１０４におけるｅノードＢ１４０ａ、１４０ｂ、１４０ｃのそれぞれに、サービング・ゲートウェイ１４４を、Ｓ１インターフェイスを介して接続することができる。サービング・ゲートウェイ１４４は一般に、ＷＴＲＵ１０２ａ、１０２ｂ、１０２ｃとの間で、ユーザー・データ・パケットを経路制御し、そして転送することができる。サービング・ゲートウェイ１４４はまた、ｅノードＢ間ハンドオーバーの間の、ユーザー面のアンカー動作（ａｎｃｈｏｒｉｎｇ）、ＷＴＲＵ１０２ａ、１０２ｂ、１０２ｃに対して下りリンクのデータが利用可能であるときのページングのトリガー、ＷＴＲＵ１０２ａ、１０２ｂ、１０２ｃのコンテキストの管理および格納、ならびに同様なものなどの、他の機能を実行することができる。
【００３６】
サービング・ゲートウェイ１４４はまた、ＰＤＮゲートウェイ１４６に接続することができ、ＰＤＮゲートウェイ１４６は、ＷＴＲＵ１０２ａ、１０２ｂ、１０２ｃ、およびＩＰが可能なデバイスの間の通信を容易にするために、インターネット１１０などのパケット交換ネットワークへのアクセスを、ＷＴＲＵ１０２ａ、１０２ｂ、１０２ｃに提供することができる。
【００３７】
コア・ネットワーク１０６は他のネットワークとの通信を容易にすることができる。例えばコア・ネットワーク１０６は、ＷＴＲＵ１０２ａ、１０２ｂ、１０２ｃ、および伝統的な地上通信線通信デバイスの間の通信を容易にするために、ＰＳＴＮ１０８などの回線交換ネットワークへのアクセスをＷＴＲＵ１０２ａ、１０２ｂ、１０２ｃに提供することができる。例えばコア・ネットワーク１０６は、コア・ネットワーク１０６およびＰＳＴＮ１０８の間のインターフェイスとして機能するＩＰゲートウェイ（例えばＩＭＳ（ＩＰ  Ｍｕｌｔｉｍｅｄｉａ  Ｓｕｂｓｙｓｔｅｍ：ＩＰマルチメディア・サブシステム）サーバ）を含むことができ、またはそれと通信することができる。さらに加えてコア・ネットワーク１０６は、他のサービス・プロバイダーによって所有されそして／または運用される他の有線または無線のネットワークを含むことができる、ネットワーク１１２へのアクセスを、ＷＴＲＵ１０２ａ、１０２ｂ、１０２ｃに提供することができる。
【００３８】
図２は、複数のＷＴＲＵ２１０およびｅＮＢ（ｅＮｏｄｅＢ：ｅノードＢ）２２０を含む無線通信システム２００のブロック図を例証する。図２に示されるように、ＷＴＲＵ２１０はｅＮＢ２２０と通信状態にある。図２においては３つのＷＴＲＵ２１０および１つのｅＮＢ２２０が示されるが、無線通信システム２００においては無線のそして有線のデバイスの何れの組み合わせをも含むことができることに注意するべきである。
【００３９】
図３は、図２の無線通信システム２００のＷＴＲＵ２１０および基地局２２０の機能ブロック図３００である。図２に示されるように、ＷＴＲＵ２１０はｅＮＢ２２０と通信状態にある。ＷＴＲＵ２１０は、フィードバック報告のための、例えばＣＱＩを含む命令およびパラメータをｅＮＢ２２０から受信するように構成される。ＢＣＨ（Ｂｒｏａｄｃａｓｔ  Ｃｈａｎｎｅｌ：ブロードキャスト・チャンネル）上に信号を、ｅＮＢ２２０は送信するように構成し、そしてＷＴＲＵ２１０は受信しそして監視するように構成することができる。ＷＴＲＵ２１０はまた、ＢＣＨ上のメッセージを受信し、ＣＱＩを測定し、そしてＣＱＩ報告をｅＮＢ２２０に送信するように構成することができる。ＷＴＲＵ２１０は、例えばＲＡＣＨなどの、何れの上りリンク・チャンネル上にても送信することができる。ＷＴＲＵ２１０は、ＲＲＣ（Ｒａｄｉｏ  Ｒｅｓｏｕｒｃｅ  Ｃｏｎｔｒｏｌ：無線リソース管理）メッセージおよびＬ１（Ｌａｙｅｒ１：レイヤー１）のメッセージを送受信するように構成することができる。
【００４０】
典型的なＷＴＲＵにおいて見出すことができる構成要素に加えてＷＴＲＵ２１０は、処理装置３１５、受信機３１６、送信機３１７、およびアンテナ３１８を含む。ＷＴＲＵ２１０はまたユーザー・インタフェース３２１を含むことができ、ユーザー・インタフェース３２１は、限定的ではなく、ＬＣＤまたはＬＥＤスクリーン、タッチ・スクリーン、キーボード、スタイラス、または他の如何なる典型的入力／出力デバイスをも含むことができる。ＷＴＲＵ２１０はまた、揮発性のおよび非揮発性の両方のメモリ３１９、ならびにＵＳＢ（Ｕｎｉｖｅｒｓａｌ  Ｓｅｒｉａｌ  Ｂｕｓ：普遍的直列バス）ポート、シリアルポート、および同様のものなどの、他のデバイスへのインターフェイス３２０を含むことができる。受信機３１６および送信機３１７は、処理装置３１５と通信状態にある。アンテナ３１８は、受信機３１６および送信機３１７の両方と通信状態にあり、無線データの送信および受信を容易にする。
【００４１】
典型的なｅＮＢにおいて見出すことができる構成要素に加えてｅＮＢ２２０は、処理装置３２５、受信機３２６、送信機３２７、およびアンテナ３２８を含む。受信機３２６および送信機３２７は、処理装置３２５と通信状態にある。アンテナ３２８は受信機３２６および送信機３２７の両方と通信状態にあり、無線データの送信および受信を容易にする。
【００４２】
ＷＴＲＵがｅＮＢと通信を開始すると、ランダム・アクセス・チャンネルなどの、共有された上りリンク・チャンネルにアクセスすることができる。ＲＡＣＨへのアクセス動作（ａｃｃｅｓｓｉｎｇ）は、ＷＴＲＵおよびｅＮＢの間の複数のメッセージ動作（ｍｅｓｓａｇｉｎｇ）を含むことができる処理である。これは、ＲＡＣＨは競合が多く、そして多くのＷＴＲＵが、同時にＲＡＣＨを使用しようと試みることができるためである。
【００４３】
ＣＳＩ（Ｃｈａｎｎｅｌ  Ｓｔａｔｅ  Ｉｎｆｏｒｍａｔｉｏｎ：チャンネル状態情報）フィードバックは、ランク、ＰＭＩ（Ｐｒｅｃｏｄｅｒ  Ｍａｔｒｉｘ  Ｉｎｄｅｘ：プリコーダー行列指数）、およびＣＱＩ（Ｃｈａｎｎｅｌ  Ｑｕａｌｉｔｙ  Ｉｎｄｅｘ：チャンネル品質指数）の形式にて報告することができる。ＰＭＩは、予め定義されたコードブック（ｃｏｄｅｂｏｏｋ）に対比して通信チャンネルを量子化することによって、ＷＴＲＵにて計算することができる。ＣＳＩフィードバックは、ＣＱＩ／ＰＭＩ／ＲＩ（Ｒａｎｋ  Ｉｎｄｉｃａｔｉｏｎ：ランク表示）報告を含むことができ、そして周期的または非周期的ベースの何れかにて提供することができる。ＷＴＲＵによって報告される情報を制御するために必要であるパラメータは、システムの帯域幅に準拠することができるか、またはＲＲＣ接続設定、再構成、および再確立メッセージにおいて提供することができるかの何れかである。ＷＴＲＵによって報告される情報は、送信モードに準拠し変化することができ、送信モードは同一のＲＲＣメッセージにおいて定義することができる。以下の表１では、Ｒ８／Ｒ９報告モードの例の概要を説明する。
【００４４】
【表１】
2013537731.tif 000003
【００４５】
周期的フィードバックは、ＰＵＣＣＨチャンネル上にて送信することができる。周期的フィードバックは代替手段として、利用可能であるならＰＵＳＣＨチャンネル上にて送信することができる。ＬＴＥ−Ａにおいては、ＰＵＣＣＨおよびＰＵＳＣＨチャンネルは同一サブフレームにおいて送信することができ、従ってこの場合においては、周期的フィードバックは同一ＰＵＣＣＨチャンネル上にて送信することができる。周期的報告は、タイプ１−サブバンドＣＱＩ、タイプ２−広帯域ＣＱＩ／ＰＭＩ、タイプ３−ＲＩ、およびタイプ４−広帯域ＣＱＩに限定されないが、これらを含む種々のタイプのシーケンスを使用することができる。図３は、報告シーケンスの一例の図を例証し、ここではそれぞれの長方形の中の数が前述の報告タイプに対応する。
【００４６】
Ｆｏｒｍａｔ（形式）０ＤＣＩ（Ｄｏｗｎｌｉｎｋ  Ｃｏｎｔｒｏｌ  Ｉｎｆｏｒｍａｔｉｏｎ：下りリンク制御情報）もしくはＣＱＩ要求ビットが設定されたときのＲＡＲ（Ｒａｎｄｏｍ  Ａｃｃｅｓｓ  Ｒｅｓｐｏｎｓｅ：ランダム・アクセス応答）、またはある他の表示子が、非周期的フィードバックを要求することができる。このフィードバックは、ＰＵＳＣＨチャンネル上にて送信することができる。
【００４７】
本開示の実施形態によると、報告は、短期的フィードバックに依存することなく長期的フィードバックに基づき提供することができる。本明細書において、用語「長期的フィードバック」および「短期的フィードバック」をそれぞれ用語「長期的プリコーダー」および「短期的プリコーダー」と互換性を持って使用することができる。チャンネル可干渉時間（ＷＴＲＵの速度に依り決定される）がＷＴＲＵフィードバックの遅延（ＷＴＲＵ測定、符号化、伝送時間、およびフィードバックインターバルを待つ時間を含むことができる）より小さい場合には、ＷＴＲＵには高移動性があると見なすことができる。高移動性は、毎時３０キロメートルより大の速度で起こると見なすことができる。
【００４８】
一実施形態においては、システムが、短期的フィードバックがない場合に長期的フィードバックを利用することを可能とするために、疑似開ループ・ビームフォーミング方法およびシステムが提供される。疑似開ループ・ビームフォーミング・フィードバック構成（またはモード）においては、ＷＴＲＵは短期的プリコーダーではなく長期的フィードバックを報告することができ、そして基地局は、予め定義された本明細書においてＷ２（ｉ）として表示される短期的プリコーダーを使用し、ＷＴＲＵによって報告された長期的プリコーダーＷ１と結合して、所与のサブフレームにて全体的プリコーダーＷを獲得することができる。
【００４９】
2013537731.tif 000004
【００５０】
図５は、本開示の実施形態によるフィードバック報告の方法のフロー図を例証する。一例においてこの方法は、図３において示されたＷＴＲＵ２１０により実施することができるが、何れの適切なＷＴＲＵにてもこの方法を実施することができる。
【００５１】
図５を参照すると、方法は、長期的プリコーダーを決定することを含む（ステップ５００）。例えば図３において示されたＷＴＲＵ２１０は、ＷＴＲＵ２１０および、図２において示されたｅＮＢ２２０などの基地局の間の通信チャンネルを測定し、長期的広帯域チャンネル統計（例えば相関行列）を決定することができる。統計は、時間および周波数に亘って平均化することができる（または瞬時的測定を使用することができる）。ＷＴＲＵ２１０は、長期的コードブックにより長期的広帯域チャンネル統計を量子化することができ、そして長期的プリコーダーＷ１を表すことができる対応する長期的プリコーディング行列指数を獲得することができる。
【００５２】
図５の方法は、短期的プリコーダーを決定することを含む（ステップ５０２）。図３において示されたＷＴＲＵ２１０は例えば、予め定義された短期的プリコーダーのセットにアクセスし、３段落前において説明された予め決定された規則により、その後のステップにおけるＣＱＩ決定の目的に対して使用するためのプリコーダーの１つを決定することができる。
【００５３】
図５の方法は、推定された長期的または広帯域チャンネル統計に対応する長期的ＰＭＩを送信することを含む（ステップ５０４）。例えば、長期的ＰＭＩは、特定された長期的フィードバック報告インターバルにて、または基地局による非周期的報告要求に際して報告することができる。
【００５４】
図５の方法は、長期的プリコーダーおよび短期的プリコーダーに基づくＣＱＩ計算を含む（ステップ５０６）。図３において示されたＷＴＲＵ２１０は例えば、報告された長期的プリコーダーＷ１および予め定義された短期的プリコーダーＷ２（ｉ）を結合すること、例えばＷ＝Ｗ１×Ｗ２（ｉ）、によって全体的プリコーダーを組立てることができるという仮定に基づき、ＣＱＩを計算することができる。方法は、短期的および／またはサブバンドＣＱＩを基地局に引き続き報告することを含む（ステップ５０８）。一例においては、ＷＴＲＵはＣＱＩを基地局に１つまたは複数のＲＲＣメッセージを介して送信することができる。
【００５５】
別の実施形態において、ＲＩフィードバック機構が提供される。ＬＴＥ−Ａに対する３ＧＰＰのＲＡＮ１におけるＭＧＦ（ＭＵＬＴＩ−Ｇｒａｎｕｌａｒ  Ｆｅｅｄｂａｃｋ）を使用するコードブック構成方法においては、
【００５６】
【数１】
2013537731.tif 000005
【００５７】
ということを注意されたい。一実施形態によるＭＧＦ準拠のコードブック構成方法に対して合計ランク情報のビット数は、Ｋ＝ｌｏｇ２ｍｉｎ（ＮＴ、ＮＲ）と定義することができる。ＮＴは、基地局（例えばｅＮＢ）でのＴｘアンテナの数であり、そしてＮＲはＷＴＲＵでのＲｘアンテナの数であることに注意されたい。外側のプリコーダーのＲＩを、Ｋ２＜＝Ｋ、およびＭ＝２Ｋ２、として定義することができる。内側の前置符号器のＲＩを、Ｋ１＝Ｋ−Ｋ２、として定義することができる。
【００５８】
内側のプリコーダーＷ（１）のＲＩ報告、すなわちＲ（１）は、縮小された範囲を持つことができ、そしてＫ１＝ｌｏｇ２（ｍｉｎ（ＮＴ、ＮＲ）／Ｍ）ビットを含むことができる。例えばＭの値を２として選定するなら、その場合には内側のプリコーダーＷ（１）のＲＩ報告を偶数ランクに限定することができる。従って、ＮＴ＝ＮＲ＝８のアンテナ構成の一例に対しては、この場合にはＫ１＝２であり、そして報告されたＲ（１）は２、４、６、および８の値を取ることが可能である。すなわち例えば、内側のプリコーダーＷ（１）を、８×２、８×４、８×６、および８×８であると報告することができる。
【００５９】
内側のプリコーダーＷ（２）のＲＩ報告は、縮小された範囲を持つことができ、そしてＫ２＝ｌｏｇ２Ｍビットを含むことができる。例えばＭの値を２として選ぶなら、その場合には内側のプリコーダーＷ（１）のＲＩ報告を偶数ランクに限定することができる。従って、ＮＴ＝ＮＲ＝８、Ｋ２＝１のアンテナ構成の一例に対しては、報告されたＲ（２）はＲ（１）−１またはＲ（１）の値を取ることが可能である。
【００６０】
図６は、本開示の実施形態によりＣＳＩフィードバックを測定し、そして基地局に報告する方法のフロー図を例証する。一例においてこの方法は、図３において示されたＷＴＲＵ２１０により実施することができるが、何れの適切なＷＴＲＵにてもこの方法を実施することができる。
【００６１】
図６を参照すると方法は、長期的プリコーダーおよび短期的プリコーダーを決定することを含む（ステップ６００）。例えば、図３において示されたＷＴＲＵ２１０は長期的広帯域空間的相関行列を決定するために図２において示されたｅＮＢ２２０などのＷＴＲＵ２１０と基地局の間の通信チャンネルを測定できる。行列は、時間および周波数に亘って平均化することができる（または瞬時的測定を使用することができる）。ＷＴＲＵ２１０は、長期的コードブックにより長期的広帯域空間的相関関係を量子化することができ、そして長期的プリコーダーＷ１を表すことができる対応する長期的プリコーディング行列指数を獲得することができる。量子化において、ＷＴＲＵ２１０は、予め定義された値の範囲（Ｋ１ビット）から長期的プリコーディング行列の適当するランクを選択することができる。図３において示されたＷＴＲＵ２１０は、予め定義された短期的プリコーダーのセットにアクセスし、そして短期的プリコーダーとして使用するためのプリコーダーの１つを選定することができる。長期的プリコーダーのランクはまた、システムの様々な部分へのフィードバックであることができる。
【００６２】
図６の方法は、推定された長期的または広帯域チャンネル統計に対応する長期的ＰＭＩを送信することを含む（ステップ６０２）。長期的ＰＭＩは例えば、特定された長期的フィードバック報告インターバルにて、または基地局による非周期的報告要求に際して報告することができる。
【００６３】
図６の方法は、長期的プリコーダーのランクに基づき短期的プリコーダーのランクを決定することを含む（ステップ６０４）。図３において示されたＷＴＲＵ２１０は例えば、予め定義された評価基準により短期的、またはサブバンドＰＭＩおよびランクを選択することができる。一例においては、対応する全体的コードブックに対して結果としてのＣＱＩを最大にすることができる。限定された範囲の値（Ｋ２ビット）から短期的またはサブバンドＰＭＩのランクを選択することができ、この値は長期的プリコーダーの報告されたランクに依存することができる。図６の方法は、短期的プリコーダー、および短期的プリコーダーのランクを基地局に送信することを含む（ステップ６０６）。
【００６４】
適応型コードブック構成の枠組みの中の別の実施形態において、長期的プリコーダーＷｌが、量子化された相関行列Ｒであることができる。この場合においては、長期的プリコーダーＷｌのランクは最高ランクとして固定することができ、そして基地局には報告されない。さらに短期的フィードバック（Ｗ２）に対するランク報告は、Ｋ＝ｌｏｇ２ｍｉｎ（ＮＴ、ＮＲ）ビットを含むことができる。例えば８×８アンテナ構成に対して、短期的フィードバック（Ｗ２）に対するランク報告は３ビットを含む。
【００６５】
図７は現在の開示の実施形態によるフィードバック報告の方法のフロー図を例証する。一例においてこの方法は、図３において示されたＷＴＲＵ２１０により実施することができるが、何れの適切なＷＴＲＵにてもこの方法を実施することができる。
【００６６】
図７を参照すると方法は、長期的プリコーダーを決定することを含む（ステップ７００）。図３において示されたＷＴＲＵ２１０は例えば、ＷＴＲＵ２１０、および図２において示されたｅＮＢ２２０などの基地局の間の通信チャンネルを測定し、長期的広帯域空間的相関行列を決定することができる。行列は、時間および周波数に亘って平均化することができる（または瞬時的測定を使用することができる）。ＷＴＲＵ２１０は、長期的コードブックにより長期的広帯域空間的相関関係を量子化することができ、そして長期的プリコーダーＷ１を表すことができる対応する長期的プリコーディング行列指数を獲得することができる。量子化においてはＷＴＲＵ２１０は、長期的プリコーディング行列のランクが最高ランク、ｌｏｇ２ｍｉｎ（ＮＴ、ＮＲ）、であると仮定することができる。一例においては、長期的フィードバックにおいてランク情報を報告しない場合がある。
【００６７】
図７の方法は、長期的プリコーダーに対応する長期的ＰＭＩを基地局に送信することを含む（ステップ７０２）。例えばＷＴＲＵ２１０は、図２において示されたｅＮＢ２２０に、推定の長期的広帯域空間的相関行列に対応する長期的ＰＭＩを送信することができる。長期的ＰＭＩは、特定された長期的フィードバック報告インターバルにて、または基地局による非周期的報告要求に際して報告することができる。
【００６８】
図７の方法は、短期的ＰＭＩを決定すること（ステップ７０４）、および短期的ＰＭＩのランクを決定すること（ステップ７０６）を含む。ＷＴＲＵ２１０は例えば、予め定義された評価基準により短期的またはサブバンドＰＭＩ  Ｗ２およびランクを選択することができる。一例においては、対応する全体的コードブックＷ＝Ｗ１×Ｗ２に対して結果としてのＣＱＩを最大にすることができる。
【００６９】
図７の方法は、短期的ＰＭＩ、および短期的ＰＭＩのランクを基地局に送信することを含む（ステップ７０８）。ＷＴＲＵ２１０は例えば、選択された短期的またはサブバンドＰＭＩ、および関連付けられたランク情報を基地局に報告することができる。
【００７０】
特徴および要素が上で特定の組み合わせにて記述されているが、通常の当業者は、それぞれの特徴または要素が単独にて、または他の特徴および要素との何れの組み合わせにても使用可能であることを理解するであろう。さらに加えて、本明細書において説明される方法は、コンピューターまたは処理装置による実行のための、コンピューターにて読み取り可能な媒体に組み込まれたコンピューター・プログラム、ソフトウェア、またはファームウェアにて実施することができる。コンピューターにて読み取り可能な媒体の例には、電子信号（有線または無線接続により送信される）およびコンピューターにて読み取り可能な記憶装置媒体が含まれる。コンピューターにて読み取り可能な記憶装置媒体の例としては、限定的ではなく、ＲＯＭ（Ｒｅａｄ−Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体メモリ・デバイス、内蔵ハード・ディスクおよび脱着可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。ＷＴＲＵ、ＵＥ、端末、基地局（ｂａｓｅ  ｓｔａｔｉｏｎ）、ＲＮＣ、または任意のホスト・コンピューターにおいて使用するための無線周波数送受信機を実施するために、ソフトウェアに関連付けられた処理装置を使用することができる。
【００７１】
適当な処理装置の例としては、汎用目的処理装置、専用目的処理装置、従来型の処理装置、ＤＳＰ（Ｄｉｇｉｔａｌ  Ｓｉｇｎａｌ  Ｐｒｏｃｅｓｓｏｒ：デジタル信号処理装置）、複数のマイクロ処理装置、ＤＳＰコアに関連付けられた１つまたは複数のマイクロ処理装置、制御装置、マイクロ制御装置、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ：特定用途向けＩＣ）、ＦＰＧＡ（Ｆｉｅｌｄ  Ｐｒｏｇｒａｍｍａｂｌｅ  Ｇａｔｅ  Ａｒｒａｙ）回路、他の何れかのタイプのＩＣ（Ｉｎｔｅｇｒａｔｅｄ  Ｃｉｒｃｕｉｔ：集積回路）、および／または状態マシンが含まれる。
【００７２】
ＷＴＲＵ、ＵＥ、端末、基地局（ｂａｓｅ  ｓｔａｔｉｏｎ）、ＲＮＣ（Ｒａｄｉｏ  Ｎｅｔｗｏｒｋ  Ｃｏｎｔｒｏｌｌｅｒ：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、ブルートゥース（Ｂｌｕｅｔｏｏｔｈ（登録商標））モジュール、ＦＭ（Ｆｒｅｑｕｅｎｃｙ  Ｍｏｄｕｌａｔｉｏｎ：周波数変調）無線ユニット、ＬＣＤ（Ｌｉｑｕｉｄ  Ｃｒｙｓｔａｌ  Ｄｉｓｐｌａｙ：液晶表示）表示ユニット、ＯＬＥＤ（Ｏｒｇａｎｉｃ  Ｌｉｇｈｔ−Ｅｍｉｔｔｉｎｇ  Ｄｉｏｄｅ：有機発光ダイオード）表示ユニット、デジタル音楽プレーヤー、メディア・プレーヤー、テレビゲーム・プレーヤー・モジュール、インターネット・ブラウザー、および／または任意のＷＬＡＮ（Ｗｉｒｅｌｅｓｓ  Ｌｏｃａｌ  Ａｒｅａ  Ｎｅｔｗｏｒｋ：無線ローカル・エリア・ネットワーク）モジュールなどのモジュールと連動して使用することができる。
【００７３】
特徴および要素が上で特定の組み合わせにて記述されているが、通常の当業者は、それぞれの特徴または要素が単独にて、または他の特徴および要素との何れの組み合わせにても使用可能であることを理解するであろう。さらに加えて、本明細書において説明される方法は、コンピューターまたは処理装置による実行のための、コンピューターにて読み取り可能な媒体に組み込まれたコンピューター・プログラム、ソフトウェア、またはファームウェアにて実施することができる。コンピューターにて読み取り可能な媒体の例には、電子信号（有線または無線接続により送信される）およびコンピューターにて読み取り可能な記憶装置媒体が含まれる。コンピューターにて読み取り可能な記憶装置媒体の例としては、限定的ではなく、ＲＯＭ（Ｒｅａｄ−Ｏｎｌｙ  Ｍｅｍｏｒｙ：読み出し専用メモリ）、ＲＡＭ（Ｒａｎｄｏｍ  Ａｃｃｅｓｓ  Ｍｅｍｏｒｙ：ランダム・アクセス・メモリ）、レジスタ、キャッシュ・メモリ、半導体メモリ・デバイス、内蔵ハード・ディスクおよび脱着可能ディスクなどの磁気媒体、磁気−光学媒体、ならびにＣＤ−ＲＯＭディスクおよびＤＶＤ（Ｄｉｇｉｔａｌ  Ｖｅｒｓａｔｉｌｅ  Ｄｉｓｋ：デジタル多用途ディスク）などの光学媒体が含まれる。ＷＴＲＵ、ＵＥ、端末、基地局（ｂａｓｅ  ｓｔａｔｉｏｎ）、ＲＮＣ、または任意のホスト・コンピューターにおいて使用するための無線周波数送受信機を実施するために、ソフトウェアに関連付けられた処理装置を使用することができる。
【図１Ａ】
2013537731.tif 000006
【図１Ｂ】
2013537731.tif 000007
【図１Ｃ】
2013537731.tif 000008
【図２】
2013537731.tif 000009
【図３】
2013537731.tif 000010
【図４】
2013537731.tif 000011
【図５】
2013537731.tif 000012
【図６】
2013537731.tif 000013
【図７】
2013537731.tif 000014
【手続補正書】
【提出日】平成25年2月18日(2013.2.18)
【手続補正１】
【補正対象書類名】明細書
【補正対象項目名】００５３
【補正方法】変更
【補正の内容】
【００５３】
周期的フィードバックは、ＰＵＣＣＨチャンネル上にて送信することができる。周期的フィードバックは代替手段として、利用可能であるならＰＵＳＣＨチャンネル上にて送信することができる。ＬＴＥ−Ａにおいては、ＰＵＣＣＨおよびＰＵＳＣＨチャンネルは同一サブフレームにおいて送信することができ、従ってこの場合においては、周期的フィードバックは同一ＰＵＣＣＨチャンネル上にて送信することができる。周期的報告は、限定的ではなく：タイプ１−サブバンドＣＱＩ；タイプ２−広帯域ＣＱＩ／ＰＭＩ；タイプ３−ＲＩ；およびタイプ４−広帯域ＣＱＩ；を含む種々のタイプのシーケンスを使用することができる。図４は、報告シーケンスの一例の図を例証し、ここではそれぞれの長方形の中の数が前述の報告タイプに対応する。
【手続補正２】
【補正対象書類名】明細書
【補正対象項目名】００６１
【補正方法】変更
【補正の内容】
【００６１】
図５の方法は、推定された長期的または広帯域チャンネル統計に対応する長期的ＰＭＩを送信することを含む（ステップ５０４）。例えば、長期的ＰＭＩは、特定された長期的フィードバック報告インターバル内で、特定された長期的フィードバック報告インターバルの間、もしくは特定された長期的フィードバック報告インターバルで、または基地局による非周期的報告要求に際して報告することができる。
【手続補正３】
【補正対象書類名】明細書
【補正対象項目名】００６８
【補正方法】変更
【補正の内容】
【００６８】
図６の方法は、推定された長期的または広帯域チャンネル統計に対応する長期的ＰＭＩを送信することを含む（ステップ６０２）。長期的ＰＭＩは例えば、特定された長期的フィードバック報告インターバル内で、特定された長期的フィードバック報告インターバルの間、もしくは特定された長期的フィードバック報告インターバルで、または基地局による非周期的報告要求に際して報告することができる。
【手続補正４】
【補正対象書類名】明細書
【補正対象項目名】００７３
【補正方法】変更
【補正の内容】
【００７３】
図７の方法は、長期的プリコーダーに対応する長期的ＰＭＩを基地局に送信することを含む（ステップ７０２）。例えばＷＴＲＵ２１０は、図２において示されたｅＮＢ２２０に、推定の長期的広帯域空間的相関行列に対応する長期的ＰＭＩを送信することができる。長期的ＰＭＩは、特定された長期的フィードバック報告インターバル内で、特定された長期的フィードバック報告インターバルの間、もしくは特定された長期的フィードバック報告インターバルで、または基地局による非周期的報告要求に際して報告することができる。
【手続補正５】
【補正対象書類名】特許請求の範囲
【補正対象項目名】全文
【補正方法】変更
【補正の内容】
【特許請求の範囲】
【請求項１】
短期的フィードバックがない場合に、長期的フィードバックをしようするフィードバック報告の方法であって、前記方法は、
無線送受信ユニット（ＷＴＲＵ）において、
長期的プリコーダーを、１つまたは複数のチャンネル統計に対応する長期的プリコーディング行列指数に基づき決定するステップと、
予め定義された短期的プリコーダーを、１つまたは複数のシステムパラメータに関連付けられる式に基づき決定するステップと、
チャンネル品質指数（ＣＱＩ）を、前記長期的プリコーダーおよび前記短期的プリコーダーの組み合わせに基づき計算するステップと、
前記ＣＱＩを基地局に送信するステップと
を備えたことを特徴とする方法。
【請求項２】
前記長期的プリコーダーを、前記１つまたは複数のチャンネル統計に対応する前記長期的プリコーディング行列指数に基づき決定するステップは、
長期的広帯域チャンネル統計を決定するために前記ＷＴＲＵおよび前記基地局の間の通信チャンネルを測定するステップと、
前記長期的広帯域チャンネル統計を、長期的コードブックに基づき量子化するステップと、
前記長期的プリコーディング行列指数を、前記長期的広帯域チャンネル統計、および量子化された長期的広帯域チャンネル統計に基づき獲得するステップと
を含むことを特徴とする請求項１に記載の方法。
【請求項３】
前記短期的プリコーダーは、前記ＷＴＲＵに格納されそしてそれによりアクセス可能な予め定義されたプリコーダーのセットの一部であることを特徴とする請求項１に記載の方法。
【請求項４】
前記短期的プリコーダーを決定するステップは、
前記ＷＴＲＵに格納された前記予め定義されたプリコーダーのセットにアクセスするステップと、
前記短期的プリコーダーを、サブフレームに対する前記予め定義されたプリコーダーのセットから、前記１つまたは複数のシステムパラメータに関連付けられる前記式を使用して、選択するステップであって、前記１つまたは複数のシステムパラメータは、サブフレーム指数、セル識別子（ＩＤ）、およびＷＴＲＵ  ＩＤのうちのの少なくとも１つを含む、選択するステップと、
を含むことを特徴とする請求項３に記載の方法。
【請求項５】
前記ＣＱＩを前記基地局に送信するステップは、前記ＣＱＩを、前記基地局に、１つまたは複数の無線リソース管理（ＲＲＣ）メッセージを介して送信するステップを含むことを特徴とする請求項１に記載の方法。
【請求項６】
前記長期的プリコーダーを前記基地局に送信するステップを備えたことを特徴とする請求項１に記載の方法。
【請求項７】
前記長期的プリコーダーを送信するステップは、前記長期的プリコーダーを、前記基地局に、予め定義されたインターバルにて送信するステップを含むことを特徴とする請求項６に記載の方法。
【請求項８】
フィードバック報告の方法であって、前記方法は、
無線送受信ユニット（ＷＴＲＵ）において、
長期的プリコーダーおよび短期的プリコーダーを決定するステップと、
前記長期的プリコーダーのランクを決定するステップと、
前記短期的プリコーダーのランクを、前記長期的プリコーダーの前記ランクに基づき決定するステップと、
前記短期的プリコーダーと、前記短期的プリコーダーの前記ランクとを基地局に送信するステップと
を備えたことを特徴とする方法。
【請求項９】
前記長期的プリコーダーを決定するステップは、
長期的広帯域チャンネル統計を決定するために、前記ＷＴＲＵおよび前記基地局の間の通信チャンネルを測定するステップと、
前記長期的広帯域チャンネル統計を、長期的コードブックに基づき量子化するステップと
を含むことを特徴とする請求項８に記載の方法。
【請求項１０】
前記長期的プリコーダーの前記ランクを決定するステップは、前記長期的プリコーダーの前記ランクを、予め定義された範囲の値に基づき決定するステップを含むことを特徴とする請求項８に記載の方法。
【請求項１１】
前記予め定義された範囲の値は、前記基地局の送信機アンテナの数に基づき定義されることを特徴とする請求項１０に記載の方法。
【請求項１２】
前記予め定義された範囲の値は、前記ＷＴＲＵの受信機アンテナの数に基づき定義されることを特徴とする請求項１０に記載の方法。
【請求項１３】
前記予め定義された範囲の値は、内側のプリコーダーのランク情報に対応することを特徴とする請求項１０に記載の方法。
【請求項１４】
前記短期的プリコーダーと、前記短期的プリコーダーの前記ランクとを前記基地局に送信するステップは、前記短期的プリコーダーと、前記短期的プリコーダーとの前記ランクを、前記基地局に、１つまたは複数の無線リソース管理（ＲＲＣ）メッセージを介して送信するステップを含むことを特徴とする請求項８に記載の方法。
【請求項１５】
前記長期的プリコーダーを、前記基地局に送信するステップを備えたことを特徴とする請求項８に記載の方法。
【請求項１６】
前記長期的プリコーダーを送信するステップは、前記長期的プリコーダーを、前記基地局に、予め定義されたインターバルにて送信するステップを含むことを特徴とする請求項１５に記載の方法。
【請求項１７】
フィードバック報告の方法であって、前記方法は、
無線送受信ユニット（ＷＴＲＵ）において、
長期的プリコーダーを決定するステップと、
前記長期的プリコーダーに対応するプリコーダー行列指数（ＰＭＩ）を基地局に送信するステップと、
短期的ＰＭＩを決定するステップと、
前記短期的ＰＭＩのランクを決定するステップと、
前記短期的ＰＭＩと、前記短期的ＰＭＩの前記ランクとを前記基地局に送信するステップと
を備えたことを特徴とする方法。
【請求項１８】
前記長期的プリコーダーを決定するステップは、
長期的広帯域空間的相関行列を決定するために、前記ＷＴＲＵおよび前記基地局の間の通信チャンネルを測定するステップと、
前記長期的広帯域空間的相関行列を、長期的コードブックに基づき量子化するステップと
を含むことを特徴とする請求項１７に記載の方法。
【請求項１９】
前記長期的プリコーダーを前記基地局に送信するステップを備えたことを特徴とする請求項１７に記載の方法。
【請求項２０】
前記長期的プリコーダーを送信するステップは、前記長期的プリコーダーを、前記基地局に、予め定義されたインターバルにて送信するステップを含むことを特徴とする請求項１９に記載の方法。
【手続補正６】
【補正対象書類名】図面
【補正対象項目名】図３
【補正方法】変更
【補正の内容】
【図３】
2013537731.tif 000015
【国際調査報告】
2013537731.tif 000016
2013537731.tif 000017
2013537731.tif 000018
2013537731.tif 000019
2013537731.tif 000020